(57)【要約】【課題】比較的大型の光源装置におけるシャーシの蓋板を、比較的小型の金型により成形することができ、また、熱膨張による撓み変形を抑制することができる光源装置を提供する。【解決手段】枠部１の開放部を閉塞する蓋板２を有し、内部に複数のランプ３を支持するシャーシＡの前記蓋板２を、蓋板２の面に沿って並置される第１〜第３の板体２１，２２，２３と、隣合う板体２１，２３間及び２２，２３間に隙間を設けて各板体２１，２２，２３を連結し、前記隙間を隠蔽する連結部材２４とにより構成した。【選択図】図１
2008053205.tif 000002
【特許請求の範囲】
【請求項１】
枠部と、該枠部の開放部を閉塞する蓋板とを有し、内部に複数のランプを支持するシャーシを備える光源装置において、前記蓋板は、該蓋板の面に沿って複数の板体を並置してなることを特徴とする光源装置。
【請求項２】
隣合う板体の端末を凹凸にしてある請求項１記載の光源装置。
【請求項３】
前記端末の凸部は略台形をなしている請求項１又は２記載の光源装置。
【請求項４】
前記凹凸は波形に湾曲している請求項１乃至３のいずれか一つに記載の光源装置。
【請求項５】
隣合う板体の間に隙間を設けてある請求項１乃至４のいずれか一つに記載の光源装置。
【請求項６】
前記板体の少なくとも二つは線膨張係数を異にする請求項１乃至５のいずれか一つに記載の光源装置。
【請求項７】
隣合う板体を連結部材により連結してある請求項１乃至６のいずれか一つに記載の光源装置。
【請求項８】
隣合う板体は前記凸部の頂部を前記連結部材に固定してある請求項７記載の光源装置。
【請求項９】
前記凸部の頂部は貫通孔を有し、前記連結部材は前記端末に沿って配され、且つ前記貫通孔に対応する挿通孔を有する柱形をなし、前記貫通孔及び挿通孔に嵌入される軸部材が前記板体を前記連結部材に固定してある請求項８記載の光源装置。
【請求項１０】
隣合う板体の端末は、前記凸部の頂部と基部とに貫通孔を有し、前記連結部材は前記端末に沿って配され、且つ前記各貫通孔に対応する挿通孔を夫々有する柱形をなし、前記各貫通孔及び各挿通孔に各嵌入される軸部材が前記板体を前記連結部材に固定してある請求項７記載の光源装置。
【請求項１１】
前記連結部材は前記隙間を隠蔽している請求項７乃至１０のいずれか一つに記載の光源装置。
【請求項１２】
前記連結部材は前記板体の線膨張係数より小さい線膨張係数の材料により形成されている請求項７乃至１１のいずれか一つに記載の光源装置。
【請求項１３】
前記蓋板は隣合う板体の端末を跨越して粘着テープを貼着してある請求項１乃至１２のいずれか一つに記載の光源装置。
【請求項１４】
前記シャーシの内部に反射板を配してあり、該反射板を前記粘着テープに貼付けてある請求項１３記載の光源装置。
【請求項１５】
内部に複数のランプが並置されるシャーシを備える光源装置において、前記シャーシは、並置されている複数の板部、及び隣合う板部の非対向縁から前記内部側へ屈曲する屈曲片を有する複数の半体と、各半体の屈曲片が枠形をなすように各半体を連結してある連結手段とを備えることを特徴とする光源装置。
【請求項１６】
内部に複数のランプが並置されるシャーシを備える光源装置において、前記シャーシは、略長方形をなし、並置されている二つの板部及び各板部の三辺から前記内部側へ屈曲する屈曲片を有する第１及び第２の半体と、略長方形をなし、前記二つの板部の間に配されている板部及び該板部の二辺から前記内部側へ屈曲する屈曲片を有する第３の半体と、各半体の屈曲片が枠形をなすように各半体を連結してある連結手段とを備えることを特徴とする光源装置。
【請求項１７】
隣合う半体の各板部の端末を凹凸にしてある請求項１５又は１６記載の光源装置。
【請求項１８】
隣合う半体の間に隙間を設けてある請求項１５乃至１７のいずれか一つに記載の光源装置。
【請求項１９】
前記半体の少なくとも二つは線膨張係数を異にする請求項１５乃至１８のいずれか一つに記載の光源装置。
【発明の詳細な説明】
【技術分野】
【０００１】
本発明は液晶表示装置等の表示装置の光源として使用される光源装置に関する。
【背景技術】
【０００２】
テレビ等の表示装置は、画像を表示する画像表示面を前側に有する表示部の後側に光源装置が配されている。
【０００３】
光源装置は、例えば両端部に電極を有する複数本のランプと、直方体をなす枠部及び該枠部の開放部を閉塞する蓋板を有し、内部に前記ランプが並置されるシャーシと、該シャーシの蓋板の後側に取着されるインバータ回路基板等の電気部品とを備える（例えば、特許文献１参照。）。蓋板は枠部に対応して長方形をなし、アルミニウム板、鉄板等の一枚の板体からなり、該蓋板の周縁部が枠部に結合されている。
【特許文献１】特開２００２−６７５５号公報
【発明の開示】
【発明が解決しようとする課題】
【０００４】
ところで、一枚の板体からなる前記蓋板は金型により成形されているため、比較的大型の表示装置に用いられる光源装置にあっては、蓋板成形用の超大型の金型が必要であり、蓋板の生産効率及び蓋板生産設備に関わる費用が高くなり、蓋板の製造コスト、ひいては蓋板のコスト、光源装置のコストが増加することになり、改善策が要望されていた。また、蓋板の一部に不良が発生しているとき、不良箇所の修理が困難であり、蓋板の全部を交換する必要があるという問題もあった。
【０００５】
また、複数本のランプは前記蓋板に沿って並置されているため、ランプの放射光による熱、及びインバータ回路基板等の電気部品が発生する熱により特にアルミニウム製の前記蓋板が熱膨張し、該蓋板に撓み変形が発生し易く、この点においても改善策が要望されていた。
【０００６】
本発明は斯かる事情に鑑みてなされたものであり、主たる目的はシャーシの蓋板を、該蓋板の面に沿って複数の板体を並置してなる構成とすることにより、蓋板の生産性を高めることができ、比較的大型の光源装置のコストを低減することができる光源装置を提供することにある。
【０００７】
また、他の目的は隣合う板体の端末を凹凸にすることにより、各板体の凹凸の凸に連結部材を取付けることができ、連結部材を比較的小形にできるとともに、連結部材による連結強度を高めることができる光源装置を提供することにある。
【０００８】
また、他の目的は端末の凸部を略台形とすることにより、隣合う板体の端末同士を噛み合わせ易く、蓋板の連結作業性を高めることができる光源装置を提供することにある。
【０００９】
また、他の目的は波形に湾曲している凹凸とすることにより、隣合う板体の端末同士を噛み合わせ易く、蓋板の連結作業性を高めることができ、また、凹凸の凸部を反り難くできる光源装置を提供することにある。
【００１０】
また、他の目的は隣合う板体の間に隙間を設けることにより、軽量化を図るべくアルミニウム板で形成される板体の熱膨張を吸収することができ、蓋板の熱膨張による撓み変形を発生し難くできる光源装置を提供することにある。
【００１１】
また、他の目的は二つの板体の線膨張係数を異ならせることにより、蓋板の軽量化を図りつつ蓋板の熱膨張量を低減することができ、熱膨張による蓋板の撓み変形を発生し難くできる光源装置を提供することにある。
【００１２】
また、他の目的は隣合う板体を連結部材で連結することにより、隣合う板体の間の隙間を維持して蓋板の剛性を高めることができる光源装置を提供することにある。
【００１３】
また、他の目的は隣合う板体の凸部の頂部を連結部材に固定することにより、凹凸の凸部をより一層反り難くでき、蓋板の平坦性を保つことができる光源装置を提供することにある。
【００１４】
また、他の目的は凸部の頂部に貫通孔を設け、前記端末に沿って配され、且つ前記貫通孔に対応する挿通孔を有する柱形の連結部材を設け、貫通孔及び挿通孔に嵌入される軸部材が板体を連結部材に固定する構成とすることにより、蓋板の連結強度を高めることができる光源装置を提供することにある。
【００１５】
また、他の目的は凸部の頂部と基部とに貫通孔を設け、前記端末に沿って配され、且つ前記各貫通孔に対応する挿通孔を夫々有する柱形の連結部材を設け、各貫通孔及び各挿通孔に各嵌入される軸部材が板体を連結部材に固定する構成とすることにより、凹凸の凸部を連結部材により一層強固に固定することができ光源装置を提供することにある。
【００１６】
また、他の目的は連結部材が前記隙間を隠蔽することにより、ランプの放射光がシャーシの蓋板から外部に洩れるのを防ぐことができる光源装置を提供することにある。
【００１７】
また、他の目的は板体の線膨張係数より小さい線膨張係数の材料で連結部材が形成されていることにより、隣合う板体の間の隙間を比較的狭くすることができ、前記連結部材をより一層小形にできる光源装置を提供することにある。
【００１８】
また、他の目的は隣合う板体の端末を跨越して粘着テープを貼着することにより、連結部材を殊更大形にすることなく、ランプの放射光がシャーシの蓋板から外部に洩れるのを防ぐことができる光源装置を提供することにある。
【００１９】
また、他の目的はシャーシの内部に配される反射板を粘着テープに貼付けることにより、反射板をシャーシに固定するための特別の固定手段を設けることなく反射板を固定することができる光源装置を提供することにある。
【００２０】
また、他の目的はシャーシを、並置されている複数の板部、及び隣合う板部の非対向縁から内部側へ屈曲する屈曲片を有する複数の半体と、各半体の屈曲片が枠形をなすように各半体を連結してある連結手段とを備える構成とすることにより、シャーシを比較的小型の金型により生産性よく成形することができ、また、連結作業性がよく、高剛性のシャーシを備える光源装置のコストをより一層低減できる光源装置を提供することにある。
【００２１】
また、他の目的は隣合う半体の各板部の端末を凹凸とすることにより、高強度のシャーシを軽量化することができる光源装置を提供することにある。
【００２２】
また、他の目的は隣合う半体の間に隙間を設けることにより、シャーシの熱膨張による撓み変形を発生し難くできる光源装置を提供することにある。
【００２３】
また、他の目的は少なくとも二つの半体の線膨張係数を異にすることにより、シャーシの軽量化を図りつつ熱膨張によるシャーシの撓み変形を発生し難くできる光源装置を提供することにある。
【課題を解決するための手段】
【００２４】
本発明に係る光源装置は、枠部と、該枠部の開放部を閉塞する蓋板とを有し、内部に複数のランプを支持するシャーシを備える光源装置において、前記蓋板は、該蓋板の面に沿って複数の板体を並置してなることを特徴とする。
【００２５】
この発明にあっては、並置された複数の板体により蓋板が形成されているため、該蓋板の板体を比較的小型の金型により生産性よく成形することができ、蓋板のコスト、ひいては光源装置のコストを低減できる。また、蓋板の一部に不良が発生したとしても、不良が発生している板体だけを交換することにより蓋板を得ることができ、歩留まりを高めることができる。
【００２６】
また、本発明に係る光源装置は、隣合う板体の端末を凹凸にしてあることを特徴とする。
【００２７】
この発明にあっては、隣合う板体の凹凸同士が噛み合っており、各板体の凹凸の凸に連結部材を取付けることができるため、連結部材を比較的小形にできるとともに、連結部材による連結強度を高めることができ、高強度のシャーシを軽量化、ひいては光源装置を軽量化できる。
【００２８】
また、本発明に係る光源装置は、前記端末の凸部は略台形をなしていることを特徴とする。
【００２９】
この発明にあっては、隣合う板体の端末同士を噛み合わせ易く、蓋板の連結作業性を高めることができる。
【００３０】
また、本発明に係る光源装置は、前記凹凸は波形に湾曲していることを特徴とする。
【００３１】
この発明にあっては、隣合う板体の端末同士を噛み合わせ易く、蓋板の連結作業性を高めることができ、また、凹凸の凸部を反り難くできる。
【００３２】
また、本発明に係る光源装置は、隣合う板体の間に隙間を設けてあることを特徴とする。
【００３３】
この発明にあっては、隣合う板体の間の隙間により板体の熱膨張を吸収することができるため、蓋板の熱膨張による撓み変形を発生し難くできる。
【００３４】
また、本発明に係る光源装置は、前記板体の少なくとも二つは線膨張係数を異にすることを特徴とする。
【００３５】
この発明にあっては、線膨張係数は大きいが軽量であるアルミニウム板と、線膨張係数が小さく、しかも剛性の高い鉄板とにより蓋板を形成することができるため、蓋板の軽量化を図りつつ蓋板の剛性アップ、及び蓋板の熱膨張量を低減することができ、熱膨張による蓋板の撓み変形を発生し難くできる。
【００３６】
また、本発明に係る光源装置は、隣合う板体を連結部材により連結してあることを特徴とする。
【００３７】
この発明にあっては、隣合う板体の間の隙間を維持して板体の連結部を補強することができ、蓋板の剛性を高めることができる。
【００３８】
また、本発明に係る光源装置は、隣合う板体は前記凸部の頂部を前記連結部材に固定してあることを特徴とする。
【００３９】
この発明にあっては、凹凸の凸部をより一層反り難くでき、蓋板の平坦性を保つことができる。因って、シャーシの内側に反射板を配する場合、該反射板の平坦性を保つことができる。
【００４０】
また、本発明に係る光源装置は、前記凸部の頂部は貫通孔を有し、前記連結部材は前記端末に沿って配され、且つ前記貫通孔に対応する挿通孔を有する柱形をなし、前記貫通孔及び挿通孔に嵌入される軸部材が前記板体を前記連結部材に固定してあることを特徴とする。
【００４１】
この発明にあっては、凹凸の凸部を連結部材に強固に固定することができ、蓋板の連結強度を高めることができる。
【００４２】
また、本発明に係る光源装置は、隣合う板体の端末は、前記凸部の頂部と基部とに貫通孔を有し、前記連結部材は前記端末に沿って配され、且つ前記各貫通孔に対応する挿通孔を夫々有する柱形をなし、前記各貫通孔及び各挿通孔に各嵌入される軸部材が前記板体を前記連結部材に固定してあることを特徴とする。
【００４３】
この発明にあっては、凹凸の凸部を連結部材により一層強固に固定することができ、蓋板の連結強度をより一層高めることができる。
【００４４】
また、本発明に係る光源装置は、前記連結部材は前記隙間を隠蔽していることを特徴とする。
【００４５】
この発明にあっては、隣合う板体間の隙間を連結部材が隠蔽しているため、ランプの放射光がシャーシの蓋板から外部に洩れるのを防ぐことができる。
【００４６】
また、本発明に係る光源装置は、前記連結部材は前記板体の線膨張係数より小さい線膨張係数の材料により形成されていることを特徴とする。
【００４７】
この発明にあっては、連結部材の熱膨張量が板体の熱膨張量よりも少ないため、隣合う板体の間の隙間を比較的狭くすることができ、前記連結部材をより一層小形にできる。
【００４８】
また、本発明に係る光源装置は、前記蓋板は隣合う板体の端末を跨越して粘着テープを貼着してあることを特徴とする。
【００４９】
この発明にあっては、隣合う板体間の隙間を粘着テープで隠蔽することができるため、連結部材を殊更大形にすることなく、ランプの放射光がシャーシの蓋板から外部に洩れるのを防ぐことができる。
【００５０】
また、本発明に係る光源装置は、前記シャーシの内部に反射板を配してあり、該反射板を前記粘着テープに貼付けてあることを特徴とする。
【００５１】
この発明にあっては、光洩れを防ぐための粘着テープに反射板が貼付けられているため、反射板をシャーシに固定するための特別の固定手段を設けることなく反射板を固定することができる。
【００５２】
また、本発明に係る光源装置は、内部に複数のランプが並置されるシャーシを備える光源装置において、前記シャーシは、並置されている複数の板部、及び隣合う板部の非対向縁から前記内部側へ屈曲する屈曲片を有する複数の半体と、各半体の屈曲片が枠形をなすように各半体を連結してある連結手段とを備えることを特徴とする。
【００５３】
この発明にあっては、並置された複数の半体によりシャーシが形成されているため、該シャーシを比較的小型の金型により生産性よく成形することができ、シャーシのコスト、ひいては光源装置のコストを低減できる。また、シャーシの一部に不良が発生したとしても、不良が発生している半体だけを交換することによりシャーシを得ることができ、歩留まりを高めることができる。また、半体は板部の縁に屈曲片が一体に設けられているため、シャーシの捩じれ剛性を高めることができる。また、隣合う半体同士を連結することによりシャーシが形成されているため、連結作業性がよく、高剛性のシャーシを備える光源装置のコストをより一層低減できる。
【００５４】
また、本発明に係る光源装置は、内部に複数のランプが並置されるシャーシを備える光源装置において、前記シャーシは、略長方形をなし、並置されている二つの板部及び各板部の三辺から前記内部側へ屈曲する屈曲片を有する第１及び第２の半体と、略長方形をなし、前記二つの板部の間に配されている板部及び該板部の二辺から前記内部側へ屈曲する屈曲片を有する第３の半体と、各半体の屈曲片が枠形をなすように各半体を連結してある連結手段とを備えることを特徴とする。
【００５５】
この発明にあっては、並置された第１乃至第３の半体によりシャーシが形成されているため、該シャーシを比較的小型の金型により生産性よく成形することができ、シャーシのコスト、ひいては光源装置のコストを低減できる。また、シャーシの一部に不良が発生したとしても、不良が発生している半体だけを交換することによりシャーシを得ることができ、歩留まりを高めることができる。また、第１乃至第３の半体は板部の縁に屈曲片が一体に設けられているため、シャーシの捩じれ剛性を高めることができる。また、隣合う半体同士を連結することによりシャーシが形成されているため、第１乃至第３の半体の連結作業性がよく、高剛性のシャーシを備える光源装置のコストをより一層低減できる。
【００５６】
また、本発明に係る光源装置は、隣合う半体の各板部の端末を凹凸にしてあることを特徴とする。
【００５７】
この発明にあっては、隣合う半体の凹凸同士が噛み合っており、各半体の凹凸の凸部に連結部材を固定することができるため、連結部材を比較的小形にできるとともに、連結部材による連結強度を高めることができ、高強度のシャーシを軽量化、ひいては光源装置を軽量化できる。
【００５８】
また、本発明に係る光源装置は、隣合う半体の間に隙間を設けてあることを特徴とする。
【００５９】
この発明にあっては、隣合う半体の間の隙間により半体の熱膨張を吸収することができるため、シャーシの熱膨張による撓み変形を発生し難くできる。
【００６０】
また、本発明に係る光源装置は、前記半体の少なくとも二つは線膨張係数を異にすることを特徴とする。
【００６１】
この発明にあっては、線膨張係数は大きいが軽量であるアルミニウム板と、線膨張係数が小さく、しかも剛性の高い鉄板とにより半体を形成することができるため、シャーシの軽量化を図りつつシャーシの剛性アップ、及びシャーシの熱膨張量を低減することができ、熱膨張によるシャーシの撓み変形を発生し難くできる。
【発明の効果】
【００６２】
本発明によれば、蓋板の板体を比較的小型の金型により生産性よく成形することができ、光源装置のコストを低減できる。また、蓋板の一部に不良が発生したとしても、不良が発生している板体を交換することにより蓋板を得ることができ、歩留まりを高めることができる。
【００６３】
また、本発明によれば、隣合う板体の凹凸同士を噛合させ、各板体の凸部に連結部材を取付けることができるため、連結部材を比較的小形にできるとともに、連結部材による連結強度を高めることができ、連結部材を備える割にシャーシを軽量化、ひいては光源装置を軽量化できる。
【００６４】
また、本発明によれば、隣合う板体の端末同士を噛み合わせ易く、蓋板の連結作業性を高めることができる。
【００６５】
また、本発明によれば、隣合う板体の端末同士を噛み合わせ易く、蓋板の連結作業性を高めることができ、また、凹凸の凸部を反り難くできる。
【００６６】
また、本発明によれば、隣合う板体の間の隙間により板体の熱膨張を吸収することができ、蓋板の熱膨張による撓み変形を発生し難くできる。
【００６７】
また、本発明によれば、板体の線膨張係数を異にするから、蓋板の軽量化を図りつつ蓋板の剛性アップ、及び蓋板の熱膨張量を低減することができ、熱膨張による蓋板の撓み変形を発生し難くできる。
【００６８】
また、本発明によれば、隣合う板体の間の隙間を維持して板体の連結部を補強することができ、蓋板の剛性を高めることができる。
【００６９】
また、本発明によれば、シャーシの内側に反射板を配する場合、該反射板の平坦性を保つことができる。
【００７０】
また、本発明によれば、凹凸の凸部を連結部材に強固に固定することができ、蓋板の連結強度を高めることができる。
【００７１】
また、本発明によれば、凹凸の凸部を連結部材により一層強固に固定することができ、蓋板の連結強度をより一層高めることができる。
【００７２】
また、本発明によれば、隣合う板体の間に隙間を有するに拘らず、ランプの放射光がシャーシの蓋板から外部に洩れるのを防ぐことができる。
【００７３】
また、本発明によれば、隣合う板体の間の隙間を比較的狭くすることができ、連結部材をより一層小形にできる。
【００７４】
また、本発明によれば、隣合う板体間の隙間を粘着テープで隠蔽することができるため、連結部材を殊更大形にすることなく、ランプの放射光がシャーシの蓋板から外部に洩れるのを防ぐことができる。
【００７５】
また、本発明によれば、光洩れを防ぐための粘着テープに反射板が貼付けられているため、反射板をシャーシに固定するための特別の固定手段を設けることなく反射板を固定することができる。
【００７６】
また、本発明によれば、並置された複数の半体によりシャーシが形成されているため、該シャーシの各半体を比較的小型の金型により生産性よく成形することができ、シャーシのコスト、ひいては光源装置のコストを低減できる。また、シャーシの一部に不良が発生したとしても、不良が発生している半体だけを交換することによりシャーシを得ることができ、歩留まりを高めることができる。また、半体は板部の縁に屈曲片が一体に設けられているため、シャーシの捩じれ剛性を高めることができる。また、隣合う半体同士を連結することによりシャーシが形成されているため、連結作業性がよく、高剛性のシャーシを備える光源装置のコストをより一層低減できる。
【００７７】
また、本発明によれば、隣合う半体の凹凸同士が噛み合っており、各半体の凹凸の凸部に連結部材を固定することができるため、連結部材を比較的小形にできるとともに、連結部材による連結強度を高めることができ、高強度のシャーシを軽量化、ひいては光源装置を軽量化できる。
【００７８】
また、本発明によれば、隣合う半体の間の隙間により半体の熱膨張を吸収することができるため、シャーシの熱膨張による撓み変形を発生し難くできる。
【００７９】
また、本発明によれば、線膨張係数は大きいが軽量であるアルミニウム板と、線膨張係数が小さく、しかも剛性の高い鉄板とにより半体を形成することができるため、シャーシの軽量化を図りつつシャーシの剛性アップ、及びシャーシの熱膨張量を低減することができ、熱膨張によるシャーシの撓み変形を発生し難くできる。
【発明を実施するための最良の形態】
【００８０】
以下本発明をその実施の形態を示す図面に基づいて詳述する。
実施の形態１
図１は本発明に係る光源装置の構成を示す正面図、図２は光源装置の構成を示す背面図、図３はシャーシの蓋板の構成を示す分解斜視図、図４は蓋板の構成を示す正面図、図５は蓋板の構成を示す斜視図、図６は蓋板の一部を拡大した斜視図である。
【００８１】
図示した光源装置は、前側が開放されている箱形をなすシャーシＡ（後記する枠部１と蓋板２とを備える）と、該シャーシＡ内に上下に離隔して並置される杆状の、換言すると直管形をなす複数本のランプ３と、該ランプ３の両端部を枠部の内側に保持するホルダと、前記ランプ３の中間部をシャーシＡの後記する蓋板２に保持する複数のクリップ４と、シャーシＡ内に配置され、ランプ３の放射光をシャーシＡの開放部側に反射させるべき反射板５とを備え、蓋板２の外面にインバータ回路基板等の電気部品が取付けられる。
【００８２】
ランプ３は両端部に電極を有する冷陰極管であり、夫々のランプ３の電極にインバータ回路基板が接続され、パルス幅変調信号により明るさが制御されるように構成されている。
【００８３】
シャーシＡは直方体をなす枠部１と、周縁部が枠部１に結合され、該枠部１の後側端を閉塞する蓋板２とを有する。蓋板２は該蓋板２の面に沿ってランプ３の長手方向に並置される第１〜第３の板体２１，２２，２３を連結してなり、枠部１に対応して長方形に形成されている。第１〜第３の板体２１，２２，２３はアルミニウム板からなり、互いに対向する端末を凹凸２１ａ，２２ａ，２３ａにしてあり、凹凸２１ａ，２３ａ及び凹凸２２ａ，２３ａ同士が噛合うように構成されている。
【００８４】
第１及び第２の板体２１，２２は一端末に凹凸２１ａ，２２ａを有する略長方形に成形してなり、第３の板体２３は両端末に凹凸２３ａ，２３ａを有する略長方形に成形してなる。第１〜第３の板体２１，２２，２３の凹凸２１ａ，２２ａ，２３ａの各凸部は図４に示すように略台形をなし、各凸部には、凸部の高さ方向に離隔して複数のピン孔２１ｂ，２２ｂ，２３ｂ、換言すると各凸部の頂部及び基部にピン孔が開設されており、第１及び第２の板体２１，２２の他端末部にはランプ３とインバータ回路基板とに接続されるコネクタ用の挿通孔２１ｃ，２２ｃが列設されている。また、第１〜第３の板体２１，２２，２３の枠部１に対応する端末部には複数の第１の取付孔２１ｄ，２２ｄ，２３ｄが開設されている。また、第１及び第２の板部２１，２２の凹凸２１ａ，２２ａの並び方向両端部には、後記する連結部材２４，２４の両端部を取付けるための複数の第２の取付孔２１ｅ，２２ｅが開設されている。
【００８５】
第１〜第３の板体２１，２２，２３は、並置方向（蓋板２の長手方向）に若干離隔して二つの連結部材２４，２４により連結され、第１及び第３の板体２１，２３の凹凸２１ａ，２３ａの間と、第２及び第３の板体２２，２３の凹凸２２ａ，２３ａの間とに若干の隙間ａが設けられている。
【００８６】
連結部材２４は隙間ａを隠蔽する隠蔽部材を兼ねるもので、複数の凹凸条を有する鉄板等の柱形をなす帯状板からなり、蓋板２の幅に対応する長さに成形されている。また、幅方向両側部にはピン孔２１ｂ，２２ｂ，２３ｂに対応する複数のピン孔が開設されており、また、長手方向両端部には第２の取付孔２１ｅ，２２ｅに対応する第３の取付孔が開設されている。
【００８７】
第１〜第３の板体２１，２２，２３の連結部材２４，２４による連結は、第１〜第３の板体２１，２２，２３が蓋板２の面に沿って外面が上向となるように並置され、第１及び第３の板体２１，２３の凹凸２１ａ，２３ａの間と、第２及び第３の板体２２，２３の凹凸２２ａ，２３ａの間とに若干の隙間ａが設けられている状態で第１及び第３の板体２１，２３の連結側端末部と、第２及び第３の板体２２，２３の連結側端末部とに連結部材２４，２４が載置され、該連結部材２４，２４のピン孔から第１〜第３の板体２１，２２，２３のピン孔２１ｂ，２２ｂ，２３ｂに非アルミニウム製のピン２５が嵌入されることにより行われ、各凹凸２１ａ，２２ａ，２３ａの凸部が連結部材２４，２４に固定される。このように形成された蓋板２は枠部１の後端に載置され、第１の取付孔２１ｄ，２２ｄ，２３ｄ、第２の取付孔２１ｅ，２２ｅ及び第３の取付孔に挿通される各ビスにより枠部１に取付けられ、シャーシＡが形成される。
【００８８】
また、連結部材２４，２４の両端間には第３の板体２３の外面と対向する鉄板等の補強板２６，２６が取付けられている。
【００８９】
以上のように構成された光源装置の蓋板２は、アルミニウム板からなる第１及び第２の板体２１，２２と、アルミニウム板からなる第３の板体２３とが連結されているため、蓋板２を軽量にできながら、蓋板２の剛性を高めることができ、比較的大型の光源装置であっても、シャーシＡを軽量にでき、しかもシャーシＡの剛性を高めることができる。また、連結部材２４及びピン２５により連結される第１〜第３の板体２１，２２，２３の間には隙間ａが設けられているため、第１〜第３の板体２１，２２，２３の凹凸２１ａ，２２ａ，２３ａ部分がピン２５に対して熱膨張し、この熱膨張を前記隙間ａで吸収することができ、熱膨張による蓋板２の撓み変形を発生し難くできる。
【００９０】
因に、第１〜第３の板体２１，２２，２３を連結部材２４により連結してなる蓋板２と、一枚のアルミニウム板からなる蓋板との長手方向への熱膨張量を、初期温度２０℃、解析時温度４０℃、温度差２０℃で測定したところ、第１〜第３の板体２１，２２，２３を連結してなる蓋板２の熱膨張量は0.687mm であったのに対し、一枚のアルミニウム板からなる蓋板２の熱膨張量は0.701mm であり、熱膨張量を低減できた。
【００９１】
実施の形態２
図７は光源装置の蓋板の他の構成を示す分解斜視図、図８は蓋板の他の構成を示す正面図である。この光源装置は、実施の形態１のように第１〜第３の板体２１，２２，２３の端末の凸部を略台形とする代わりに、第１〜第３の板体２１，２２，２３の端末の凹凸２１ａ，２２ａ，２３ａを波形に湾曲させている構成としたものである。各凹凸２１ａ，２２ａ，２３ａは半長円形をなし、各板体２１，２２，２３の幅方向両端間で連続し、波形になっている。
その他の構成及び作用は図１〜６に示した実施の形態１と同様であるため、同様の部品については同じ符号を付し、その詳細な説明及び作用降下の説明を省略する。
【００９２】
実施の形態３
図９は光源装置の他の構成を示す分解斜視図、図１０は蓋板の他の構成を示す一部を拡大した斜視図である。この光源装置は実施の形態１、２における第１及び第３の板体２１，２３の内面で、且つ対向する端末を跨越して両面テープ６を貼着し、第２及び第３の板体２２，２３の内面で、且つ対向する端末を跨越して両面テープ６を貼着し、シャーシＡ内に配置される反射板５を各両面テープ６，６に貼付けたものである。尚、両面テープ６，６が粘着テープを構成している。
【００９３】
この光源装置にあっては、第１及び第３の板体２１，２３の端末間の隙間ａ、及び第２及び第３の板体２２，２３の端末間の隙間ａを確実に塞ぐことができるため、シャーシＡ内の光が前記隙間ａから外部に漏れるのを確実に防ぐことができ、また、シャーシＡ外の気体に含まれる埃が前記隙間ａからシャーシＡ内に侵入するのを確実に防ぐことができる。
尚、両面テープ６に代えて一面に粘着面を有する粘着テープを貼着する構成としてもよい。
その他の構成及び作用は図１〜８に示した実施の形態１、２と同様であるため、同様の部品については同じ符号を付し、その詳細な説明及び作用降下の説明を省略する。
【００９４】
実施の形態４
図１１は光源装置のシャーシの他の構成を示す分解斜視図、図１２はシャーシの他の構成を示す斜視図、図１３はシャーシの他の構成を示す一部を拡大した斜視図である。
【００９５】
この光源装置は、実施の形態１〜３のように枠部１及び蓋板２を有するシャーシＡの蓋板２が複数の板体２１，２２，２３により形成されている構成とする代わりに、シャーシＢ自体が複数の半体７，８，９により形成され、各半体７，８，９が二つの連結部材２４，２４により連結されている構成としたものである。
【００９６】
シャーシＢは、略長方形をなし、ランプ３の長手方向に並置されている第１〜第３の板部７１，８１，９１、両側に配されている第１及び第２の板部７１，８１の三つの縁から内部側へ屈曲する三つの屈曲片７２，８２を有する第１及び第２の半体７，８と、中央に配されている第３の板部９１の二つの縁から内部側へ屈曲する二つの屈曲片９２を有する第３の半体９と、各半体７，８，９の屈曲片７２，８２，９２が枠形をなすように第１及び第３の半体７，９、第２及び第３の半体８，９を夫々連結してある連結部材２４，２４とを備える。
【００９７】
第１〜第３の半体７，８，９は一体に成形されたアルミニウム板からなり、互いに対向する板部７１，８１，９１の端末を凹凸７３，８３，９３にしてあり、凹凸７３，９３及び凹凸８３，９３同士が噛み合うように構成されている。
【００９８】
第３の板部９１の凹凸９３は各屈曲片９２の端末より外方へ突出して配されており、第１及び第２の板部７１，８１の凹凸７３，８３は屈曲片７２，８２の端末以内に配されている。第１〜第３の半体７，８，９の凹凸７３，８３，９３の各凸部には、頂部と基部とにピン孔７４，８４，９４が夫々開設されており、第１及び第２の半体７，８の他端末部にはランプ３とインバータ回路基板とに接続されるコネクタ用の挿通孔７５，８５が列設されている。また、第１及び第２の板部７１，８１の凹凸７３，８３の並び方向両端部には、連結部材２４，２４の両端部を取付けるための複数の取付孔７６，８６が開設されており、また、第３の板部９１の両端の凸部の基部には複数の取付孔９６が開設されている。
【００９９】
第１〜第３の半体７，８，９は、並置方向（シャーシＢの長手方向）に若干離隔して二つの連結部材２４，２４により板部７１，８１，９１が連結され、第１及び第３の半体７，９の対向する端末間と、第２及び第３の半体８，９の対向する端末間とに若干の隙間ａが設けられている。
【０１００】
連結部材２４は隙間ａを隠蔽する隠蔽部材を兼ねるもので、複数の凹凸条を有する鉄板等の柱形をなす帯状板からなり、シャーシＢの幅に対応する長さに成形されている。また、幅方向両側部にはピン孔７４，８４，９４に対応する複数のピン孔が開設されており、また、長手方向両端部には取付孔７６，８６，９６に対応する取付孔が開設されている。
【０１０１】
第１〜第３の半体７，８，９の連結部材２４，２４による連結は、屈曲片７２，８２，９２が下向きとなるように第１〜第３の半体７，８，９が並置され、第１及び第３の半体７，９の凹凸７３，９３の間と、第２及び第３の半体８，９の凹凸８３，９３の間とに若干の隙間ａが設けられている状態で第１及び第３の半体７，９の対向側端末部と、第２及び第３の半体８，９の対向側端末部とに連結部材２４，２４が載置され、該連結部材２４，２４のピン孔から第１〜第３の板部７１，８１，９１のピン孔７４，８４，９４に非アルミニウム製のピン２５が嵌入されることにより行われ、シャーシＢが形成される。
【０１０２】
以上のように構成された光源装置のシャーシＢは、アルミニウム板からなる第１及び第２の半体７，８と、アルミニウム板からなる第３の半体９とが連結されているため、比較的大型の光源装置であっても、シャーシＢを軽量にでき、しかもシャーシＢの剛性を高めることができる。また、連結部材２４及びピン２５により連結される第１〜第３の半体７，８，９の間には隙間ａが設けられているため、第１〜第３の半体７，８，９の凹凸７３，８３，９３部分がピン２５に対して熱膨張し、この熱膨張を前記隙間ａで吸収することができ、熱膨張によるシャーシＢの撓み変形を発生し難くできる。
その他の構成及び作用は図１〜１０に示した実施の形態１、２、３と同様であるため、同様の部品については同じ符号を付し、その詳細な説明及び作用降下の説明を省略する。尚、実施の形態２、３は実施の形態４に適用してもよい。
【０１０３】
以上説明した実施の形態の蓋板２は、アルミニウム製の第１〜第３の板体２１，２２，２３を有する構成としたが、その他、線膨張係数が異なる複数の板体を連結してなる構成としてもよい。例えば第１及び第２の板体２１，２２を線膨張係数2.3 ×10-5のアルミニウム製とし、第３の板体２３を線膨張係数1.2 ×10-5の鉄板製としてもよく、第１〜第３の板体２１，２２，２３の少なくとも一つがアルミニウム製であればよく、この場合においても鉄板製の蓋板に比べて蓋板２を軽量にできるとともに、蓋板２の剛性を高めることができ、比較的大型の光源装置であってもシャーシＡを軽量にできる。また、蓋板２は線膨張係数が異なる板体２１，２２，２３を連結してなるため、線膨張係数が小さい板体により蓋板２の熱膨張量を低減でき、熱膨張による蓋板２の撓み変形を発生し難くできる。また、第１〜第３の板体２１，２２，２３は鉄板等の金属板であってもよい。このように構成される蓋板２は図に示した蓋板２と同様、連結部材２４により連結される。
【０１０４】
また、以上説明した実施の形態のシャーシＢは、アルミニウム製の第１〜第３の半体７，８，９を並置してなる構成としたが、その他、線膨張係数が異なる複数の半体７，８，９を連結してなる構成としてもよい。例えば第１及び第２の半体７，８を線膨張係数2.3 ×10-5のアルミニウム製とし、第３の半体９を線膨張係数1.2 ×10-5の鉄板製としてもよく、第１〜第３の半体７，８，９の少なくとも一つがアルミニウム製であればよく、この場合においても鉄板製のシャーシに比べて軽量にできるとともに、剛性を高めることができ、比較的大型の光源装置であってもシャーシＢを軽量にできる。また、シャーシＢは線膨張係数が異なる半体７，８，９を連結してなるため、線膨張係数が小さい半体７，８，９によりシャーシＢの熱膨張量を低減でき、熱膨張によるシャーシＢの撓み変形を発生し難くできる。また、第１〜第３の半体７，８，９は鉄板等の金属板であってもよい。このように構成されるシャーシＢは図に示したシャーシと同様、連結部材２４により連結される。
【０１０５】
また、以上説明した実施の形態では、第１〜第３の板体２１，２２，２３を連結部２４により連結してなる蓋板２を備える構成としたが、その他、連結部材２４をなくし、第１〜第３の板体２１，２２，２３を枠部１に取付ける構成としてもよいし、また、隣合う第１及び第３の板体２１，２３の間、第２及び第３の板体２２，２３の間に、その両端が枠部に取付けられて各板体２１，２２，２３の撓みを阻止する補強部材を配置する構成としてもよい。
【０１０６】
また、以上説明した実施の形態では３枚の板体２１，２２，２３を連結してなる蓋板２を備える構成としたが、その他、蓋板２は２枚の板体又は４枚以上の板体を連結してなる構成としてもよい。また、板体２１，２２，２３が互いに対向する端末を凹凸２１ａ，２２ａ，２３ａにしたが、その他、凹凸２１ａ，２２ａ，２３ａにすることなく、直線状の端末としてもよい。
【０１０７】
また、蓋板２は板体２１，２２，２３が互いに対向する端末間に隙間ａを有する構成としたが、その他、隙間ａがなく、互いに対向する端末同士が接触している構成としてもよい。
【０１０８】
また、以上説明した実施の形態では三つの半体７，８，９を連結してなるシャーシＢを備える構成としたが、その他、シャーシＢは二つの半体７，８又は四つ以上の半体（半体７，８と二つ以上の半体９）を連結してなる構成としてもよい。また、半体７，８，９が互いに対向する端末を凹凸７３，８３，９３にしたが、その他、凹凸７３，８３，９３にすることなく、直線状の端末としてもよい。
【０１０９】
また、シャーシＢは半体７，８，９が互いに対向する端末間に隙間ａを有する構成としたが、その他、隙間ａがなく、互いに対向する端末同士が接触している構成としてもよい。
【０１１０】
また、複数の半体７，８，９を並置してなるシャーシＢは、隣合う半体７，８，９の板部７１，８１，９１同士を連結部材により連結し、屈曲片７２，８２，９２同士を他の連結部材が連結する構成としてもよい。
【図面の簡単な説明】
【０１１１】
【図１】本発明に係る光源装置の構成を示す正面図である。
【図２】本発明に係る光源装置の構成を示す背面図である。
【図３】本発明に係る光源装置のシャーシの蓋板の構成を示す分解斜視図である。
【図４】本発明に係る光源装置の蓋板の構成を示す正面図である。
【図５】本発明に係る光源装置の蓋板の構成を示す斜視図である。
【図６】本発明に係る光源装置の蓋板の一部を拡大した斜視図である。
【図７】本発明に係る光源装置の蓋板の他の構成を示す分解斜視図である。
【図８】本発明に係る光源装置の蓋板の他の構成を示す正面図である。
【図９】本発明に係る光源装置の他の構成を示す分解斜視図である。
【図１０】本発明に係る光源装置の蓋板の他の構成を示す一部を拡大した斜視図である。
【図１１】本発明に係る光源装置のシャーシの他の構成を示す分解斜視図である。
【図１２】本発明に係る光源装置のシャーシの他の構成を示す斜視図である。
【図１３】本発明に係る光源装置のシャーシの他の構成を示す一部を拡大した斜視図である。
【符号の説明】
【０１１２】
Ａ    シャーシ
１    枠部
２    蓋板
２１  第１の板体
２２  第２の板体
２３  第３の板体
２１ａ，２２ａ，２３ａ  凹凸
２４  連結部材
３    ランプ
５    反射板
６    両面テープ（粘着テープ）
Ｂ    シャーシ
７    第１の半体
８    第２の半体
９    第３の半体
７１，８１，９１  板部
７２，８２，９２  屈曲片
７３，８３，９３  凹凸
【図１】
2008053205.tif 000003
【図２】
2008053205.tif 000004
【図３】
2008053205.tif 000005
【図４】
2008053205.tif 000006
【図５】
2008053205.tif 000007
【図６】
2008053205.tif 000008
【図７】
2008053205.tif 000009
【図８】
2008053205.tif 000010
【図９】
2008053205.tif 000011
【図１０】
2008053205.tif 000012
【図１１】
2008053205.tif 000013
【図１２】
2008053205.tif 000014
【図１３】
2008053205.tif 000015